【事件の表示】
　特願２００７−１０３７９７「Ｘ線ＣＴ装置および画像生成装置」拒絶査定不服審判事件〔平成１９年　８月３０日出願公開、特開２００７−２１６０４３〕について、次のとおり審決する。
【結　論】
　本件審判の請求は、成り立たない。
【理　由】
第１　手続の経緯
　本願は，平成７年９月１１日に出願した特願平７−２３３０６９号の一部を，平成１９年４月１１日に新たな特許出願としたものであって，平成２０年６月４日付けで拒絶査定がされ，これに対し，同年７月１０日に拒絶査定不服審判の請求がされるとともに，同年８月８日付けで手続補正がされたものである。
　
第２　平成２０年８月８日付けの手続補正についての補正の却下の決定
　
　［補正却下の決定の結論］
　　平成２０年８月８日付けの手続補正を却下する。
　
　［理由］
１　補正後の本願発明
　平成２０年８月８日付けの手続補正（以下，「本件補正」という。）は，特許請求の範囲を補正するものであって，そのうち請求項１についてする補正は，補正前（平成２０年４月１４日付け手続補正書。以下同様。）の特許請求の範囲の
「【請求項１】
　被検体を一つの軸に沿って直線移動させると共に前記被検体の周りに少なくともＸ線管を回転させながらデータを収集するデータ収集手段と、
　前記被検体の心臓の周期運動の一周期を分割して設定した複数の異なる位相に対応する前記被検体の心臓の画像を得るためのデータを、複数周期のデータについて特定する位相対応付け手段と、
　前記被検体の心臓の画像を生成するために必要なデータを求めるデータ算出手段と、
　前記被検体の心臓の画像を得るのに必要なデータを用いて、前記位相における心臓の画像を当該位相毎に生成する画像生成手段と
を具備したことを特徴とするＸ線ＣＴ装置。」
及び
「【請求項５】
前記画像生成手段は、位相毎の３Ｄ画像を生成する手段を含むことを特徴とする請求項１から請求項４のいずれか一項に記載のＸ線ＣＴ装置。
【請求項６】
前記位相毎の画像を位相順にシネ表示するシネ表示手段を更に具備したことを特徴とする請求項１から請求項５のいずれか一項に記載のＸ線ＣＴ装置。」
を，
「【請求項１】
　被検体を一つの軸に沿って直線移動させると共に前記被検体の周りに少なくともＸ線管を回転させながらデータを収集するデータ収集手段と、
　前記被検体の心臓の周期運動の一周期を分割して設定した複数の異なる位相に
それぞれ
の軸方向の複数位置での複数の断面
　前記被検体の心臓
の軸方向の複数位置で同じ位相に対応する複数の断面
、前記位相対応付け手段における特定に基づいて、各位相について
　前記被検体の心臓
の軸方向の複数位置で同じ位相に対応する複数の断面
の軸方向の複数位置での複数の断面
全ての位相について
し、位相毎の３Ｄ画像を生成する
　
前記位相毎の３Ｄ画像を位相順に全ての位相についてシネ表示するシネ表示手段と
を具備したことを特徴とするＸ線ＣＴ装置。」（下線部分は補正箇所である。以下，補正後の請求項１に記載された発明を「本願補正発明」という。）と補正するものである。
　
　上記補正は，補正前に，請求項１を引用する請求項５をさらに引用する請求項６として引用形式で記載されていたものを，独立形式として記載し，当該補正前の請求項に記載した発明を特定するために必要な事項である「位相対応付け手段」について，補正前に「複数の異なる位相に対応する前記被検体の心臓の画像」とあったものを，補正後に「複数の異なる位相に
それぞれ
の軸方向の複数位置での複数の断面
の軸方向の複数位置で同じ位相に対応する複数の断面
、前記位相対応付け手段における特定に基づいて、各位相について
の軸方向の複数位置で同じ位相に対応する複数の断面
の軸方向の複数位置での複数の断面
全ての位相について
し、位相毎の３Ｄ画像を生成する
　
　そこで，本願補正発明が特許出願の際独立して特許を受けることができるものであるか（平成１８年改正前の特許法第１７条の２第５項において準用する同法第１２６条第５項の規定に適合するか）について検討する。
　
２　引用例
（１）引用例１
　原査定の拒絶の理由に引用した，本願出願日前に頒布された刊行物である，特開平６−９０９４６号公報（以下「引用例１」という。）には，図面とともに，次の事項が記載されている（下線は当審にて付加した）。
　
ア　「【０００１】
【産業上の利用分野】
本発明は、呼吸量等の大きさに応じて変化する被検体部位の撮影表示を行うＸ線ＣＴ装置に関する
　
イ　「【００１０】
【実施例】図２は、本発明のＣＴ装置の実施例図である。
ベッド３３は、患者３１を載せ、矢印の如く移動可能になっている。ＣＴ計測系３２は、互いに対向して配置されたＸ線源とＸ線検出器とを持ち、この間を患者３１が動き、この移動しながらの撮影時刻を付してＣＴ撮影を行う。患者３５には呼吸器３５が口元につけられ、その呼吸の様子は呼吸モニタ３４で監視される。監視対象は、呼吸の推移の時刻（呼吸時刻）と呼吸量の大きさである。画像処理装置３８は、ＣＴ計測系３２とモニタ３４とのデータを受け取る。ＣＴ計測系３２から送られてくるデータは、ら旋スキャンで得たら旋データであり、このら旋データから補間演算を行って各スライス面毎のＣＴ断層像を得る。このＣＴ断層像には、撮影時刻が付される。呼吸モニタ３４から送られてくるデータ（呼吸時刻と呼吸量）から、同一呼吸毎にＣＴ断層像をまとめて一群化し、各群内で補間演算を行って群毎の三次元画像を作る。
この表示内容は、呼吸の動きに応じた身体の全身の動きを三次元的に示したものであり、病巣部が呼吸によって動く様子がわかる
　
ウ　「【００１２】図１は、図２の実施例の処理フローを示す図である。左側の（イ）図がら旋スキャンによる三次元画像を得る処理フロー、右側の（ロ）図が呼吸モニタによるデータ取得フローを示す図である。先ず、
ＣＴ計測系の時刻と呼吸モニタの時刻合わせをする（フロー１とフロー１０）。時刻合わせの目的は、後の処理で時刻によってＣＴ画像と呼吸データとをまとめるためである
【００１３】次に、
ＣＴ側では、ら旋スキャンの開始時刻を記録し（フロー２）、被検体を移動させながらＸ線を照射してら旋データを得る。ら旋データを得る間隔は数ｍｍ単位であり、これが体軸方向に予定のスライス数分行われる（フロー４）
ら旋スキャンで得たら旋データは、各スライス軸（体軸方向の各断層面のこと）にとっては１個のデータであり、ＣＴ断層像を得るには、そのスライス軸の周囲の３６０゜又は１８０゜（ハーフスキャンの例）にわたるデータが必要である。このスライス軸の周囲の３６０゜又は１８０゜にわたるデータはこのスライス軸の前後のデータの補間によって得ることができる
かくして体軸方向の全スライス軸にわたってのＣＴ画像が再構成される
【００１４】次にフロー５で呼吸モニタからのモニタしたデータを受け取る。ここで、モニタデータについて、（ロ）図で説明する。時刻合わせした後（フロー１０）、ピッチ時刻Δｔ毎に（フロー１１）、その時刻と
呼吸量の大きさ（位相のこと）
【００１５】（イ）図の説明に戻る。
ＣＴ像を位相別に分類する
この分類法は図３に従う。図３（イ）は、呼吸モニタのモニタデータを示す。横軸が時刻（呼吸時刻のこと）、縦軸が変位量Ｄである。この例で、ピークが最大呼吸時、最小値が最大排気時を示しており、図では２呼吸区間をモニタしたことを示す。このモニタデータは、次の如きデータとなる。即ち、（Ｔ
1
、Ｄ
1
）、（Ｔ
2
、Ｄ
2
）、（Ｔ
3
、Ｄ
3
）、（Ｔ
4
、Ｄ
4
）、（Ｔ
5
、Ｄ
5
）、（Ｔ
6
、Ｄ
6
）、（Ｔ
7
、Ｄ
7
）……となる
【００１６】一方、
ＣＴ画像についても、撮影時刻が付されて記憶されている。即ち、（ｔ
1
、ＣＴ
1
）、（ｔ
2
、ＣＴ
2
）、（ｔ
3
、ＣＴ
3
）、（ｔ
4
、ＣＴ
4
）、（ｔ
5
、ＣＴ
5
）、（ｔ
6
、ＣＴ
6
）、（ｔ
7
、ＣＴ
7
）……となっている。ここで、ＣＴ
1
〜ＣＴ
7
はスライス位置が１〜７であることを示す
【００１７】そこで、
呼吸モニタデータ（ｔ
i
、Ｄ
i
）でＣＴ画像（ｔ
i
、ＣＴ
i
）を分類する。分類は、呼吸モニタデータの中で呼吸の状態に従う
最大呼吸時をみつける。最大呼吸時は最大ピーク時である故にＤ
1
、Ｄ
4
、Ｄ
7
、……となる。この時の時刻はモニタデータからｔ
1
、ｔ
4
、ｔ
7
、……となる。時刻ｔ
1
、ｔ
4
、ｔ
7
、……でのＣＴ画像は、ＣＴ
1
、ＣＴ
4
、ＣＴ
7
、……であり、これを一群としてまとめる
最大呼吸時をみつける。最大呼吸時は最小ピーク時でる故に、Ｄ
2
、Ｄ
5
、Ｄ
8
、……となり、この時の時刻はモニタデータからｔ
2
、ｔ
5
、ｔ
8
、……とわかる。そこで、時刻ｔ
2
、ｔ
5
、ｔ
8
、……でのＣＴ画像ＣＴ
2
、ＣＴ
5
、ＣＴ
8
、……であり、これを一群としてまとめる
ＣＴ画像は２つの群に分けられた
【００１８】次に、
補間処理により、各群毎に三次元画像を得る
ら旋スキャンのために、スライス位置は、それぞれその１呼吸期間分の移動距離だけ異なっていることになる。従って、ＣＴ
1
、ＣＴ
4
、ＣＴ
7
、……なるＣＴ画像は極めて粗い区間離れて得たデータであり、これだけでは三次元画像としては使用に耐えない。そこで、ｔ
1
とｔ
4
との間に１個ないし２個以上のＣＴ画像を、ＣＴ
1
、ＣＴ
4
等の画像を利用して補間処理で作成する
この結果を図３（ニ）に示す。かくして各群毎に三次元画像が得られる（フロー８）。各群毎の三次元画像を、呼吸の推移に応じてＣＲＴに表示することにより、体軸方向の全身の三次元表示となる（フロー９）。これから病巣部の呼吸による移動推移がわかる
【００１９】以上は、呼吸の最大呼吸と最大吸気の２つの区分としたが、
呼吸の細かい様子に合わせて分類することは更に好ましい
　
エ　「【００２３】本発明は、各種の変形例がある。
（１）、
呼吸以外に心電の例もありうる
・・・」
　
　以上の記載を総合すると，引用例１には、
「患者３１を載せ，移動可能になっているベッド３３と，互いに対向して配置されたＸ線源とＸ線検出器とを持ち，この間を患者３１が動き，この移動しながらの撮影時刻を付してら旋スキャンでＣＴ撮影を行うＣＴ計測系３２と，
患者の呼吸の推移の時刻（呼吸時刻）と呼吸量の大きさ（位相のこと）を監視する呼吸モニタ３４とを有し，
ら旋スキャンで得たら旋データから補間演算を行って各スライス面毎のＣＴ断層像を得て，このＣＴ断層像には撮影時刻を付し，
撮影時刻が付されたＣＴ画像を呼吸モニタデータで各群に分類し，
各群内でＣＴ画像の補間演算を行って各群毎に三次元画像を得る処理を行う画像処理装置を備え，
各群毎の三次元画像を，呼吸の推移に応じてＣＲＴに表示する，
Ｘ線ＣＴ装置。」の発明（以下、「引用発明」という。）が記載されているものと認められる。
　
（２）引用例２
　本願出願日前に頒布された刊行物である，特開平５−３８６７号公報（以下「引用例２」という。）には，図面とともに，次の事項が記載されている（下線は，当審にて付加した）。
　
ア　「【特許請求の範囲】
【請求項１】  被検体に対するＸ線の曝射位置を順次変更してスキャンすることにより収集した投影データを基に連続した複数枚の断層像を再構成し、この複数枚の断層像を基に三次元診断用の画像を得る三次元画像診断装置において、前記スキャンをＸ線の連続曝射によるヘリカルスキャンで実施する撮影制御手段と、
ヘリカルスキャンに同期して心電波形を取り込む心電波形入力手段と、取り込んだ心電波形の同一位相毎に断層像を再構成するタイミングを設定する再構成タイミング設定手段
　
イ　「【０００９】
【作用】本発明による三次元画像診断装置であれば、撮影制御手段の制御下でヘリカルスキャンにより短時間に投影データを収集することができる。また、
心電波形入力手段が入力した心電波形（心拍）に同期して
な同一位相毎に再構成タイミング設定手段により断層像を再構成するタイミングを設定する
　
ウ　「【００１７】こうして三次元的な連続した静止像が得られるため、少い造影剤と２０〜３０秒の撮影時間で
心臓系の多断面が得られる
心臓内の心房、心室、冠動脈の障害の検査が三次元画像で診断できる
　
（３）引用例３
　本願出願日前に頒布された刊行物である，特開平１−１３９０３８号公報（以下「引用例３」という。）には，図面とともに，次の事項が記載されている（下線は，当審にて付加した）。
　
ア　「【実　施　例】
　第１図はこの発明を第３世代のＸ線ＣＴ装置に適用した実施例を示す。この第１図で、被検体（患者）１は円板２の中心に設けた穴２１内に挿入される。円板２にはこの穴２１を挟むようにＸ線管３とＸ線検出器４とが対向配置されており、さらにＸ線検出器の各チャンネルの出力信号が入力されるデータ収集装置５が取り付けられている。この円板２が図示しない回転駆動機構によって穴２１を中心にして回転させられるとそれにともなってＸ線管３、Ｘ線検出器４及びデータ収集装置５も一体になって回転し、Ｘ線による被検体１に対するスキャンが行なわれる。データ収集装置５はこの回転（スキャン）の各ステップ（角度）ごとにＸ線検出器４の各チャンネルの出力からデータを収集してそれをインターフェイス回路７を介してメモリ８に送る。
　他方、この円板２の回転角度は回転検出器（たとえばロータリーエンコーダ）６により検出され、その角度信号がインターフェイス回路７を経てアドレス発生回路９に送られる。このアドレス発生回路９は入力された角度信号に対応したアドレス信号（これをＸ信号とする）を発生する。
　また、被検体１の生体信号は生体信号増幅器１０により増幅される。この
生体信号増幅器１０が心電計である場合
　データ収集装置５から出力され、インターフェイス回路７を経てメモリ８に送られるＸ線透過データは、この両アドレス信号Ｘ，Ｙによって指定されたアドレスに書き込まれる。
　まず、生体信号に同期した撮像を行なわない通常の撮像について説明する。この場合、アドレス発生回路１２からアドレス信号Ｙは発生されず（Ｙ＝０）、Ｘ線透過データは専ら角度信号に対応したアドレスに書き込まれることになる。すなわち、第２図に示すように角度に対応したアドレスＸごとに、その角度で収集したチャンネル１、２、・・・の全チャンネルのデータが書き込まれる。したがって、このようにして全データのメモリ８への書き込みが終了したとき、この記憶内容を読み出して、図示しない逆投影装置などの画像再構成装置により処理すれば、通常の、生体信号に無関係な断層像を得ることができる。
　次に、
生体信号として心電信号を検出しこれに同期した撮像を行なう場合
心電信号は第３図のような波形となっており、そのピークから次のピークまでの１サイクルを４つの位相Ａ，Ｂ，Ｃ，Ｄに分ける
第１回目のスキャンＳ１が開始されると、角度０ラジアンから所定の角度単位でデータ収集装置５から全チャンネルのデータが次々に出力されメモリ８に送られるが、角度π／１６ラジアンまではアドレス信号Ｙが位相Ａに対応したものとなっているため第４図に示すように位相Ａに対応したアドレスに記憶される
第１回目のスキャンＳ１で得られる各位相範囲に属するデータＤ
ＡＳ１
、Ｄ
ＢＳ１
、Ｄ
ＣＳ１
、Ｄ
ＤＳ１
がπラジアンまで第４図に示すように順次書き込まれる
　第２回目のスキャンＳ２は開始位相をずらし、位相範囲Ｄの最初から開始されるものとすると、第４図に示すように角度０ラジアンからπ／１６ラジアンまでの位相Ｄの範囲に属するデータＤＤＳ２は位相Ｄに対応したアドレスに、角度π／１６ラジアンから２π／１６ラジアンまでの位相Ａの範囲に属するデータＤＡＳ２は位相Ａに対応したアドレスに、さらに角度２π／１６ラジアンから３π／１６ラジアンまでの位相Ｂに属するデータＤＢＳ２は位相Ｂに対応したアドレスに、角度３π／１６ラジアンから４π／１６ラジアンまでの位相Ｃの範囲に属するデータＤＣＳ２は位相Ｃに対応したアドレスにそれぞれ書き込まれる。
　こうして各スキャンの開始位相をずらしながら何回かのスキャンを繰り返せば第４図の空白の部分が埋まり、Ａ，Ｂ，Ｃ，Ｄの各位相範囲について１８０°方向の必要なデータの全てを収集できたことになる。
このようにデータ収集が終了したとき、アドレスＡの記憶内容をＸ方向（角度方向）に読み出せば、位相Ａについて必要な１８０°分のデータが直ちに得られ、これから画像再構成して位相Ａでの断層像を得ることができる
　
（４）引用例４
　本願出願日前に頒布された刊行物である，特開平２−１４９２５９号公報（以下「引用例４」という。）には，図面とともに，次の事項が記載されている（下線は，当審にて付加した）。
　
ア　「【実　施　例】
　つぎにこの発明の一実施例について図面を参照しながら説明する。第１図はこの発明の一実施例のブロック図で、第２図は全体を概略的に示す図である。これらの図において、ガントリ２１内にＸ線管と検出器が納められていてこれらによるスキャンが行なわれ、ベッド２２上に横たえられた被検者（図示しない）の透過Ｘ線強度に関する３６０°方向の投影データが得られる。このガントリ２１とベッド２２は制御器２３によって制御される。ガントリ２１で検出されたデータはラックに納められたＣＰＵ２４に送られる。このＣＰＵ２４にはコンソール２５及びモニタ２６が接続されている。また
心電モニタ装置１４は被検者の心電波形を検出し
　ガントリ２１に納められた検出器１１からの信号は第１図に示すようにＡ／Ｄ変換器１２によりデジタルデータに変換され、投影データとしてメモリ１３に送られる。他方、
心電モニタ装置１４からの心電波は位相情報作成回路１５に送られ、位相情報がつくられて、この位相情報が上記の投影データとリンクしてメモリ１３に記憶される
心電波形のＲ波からＲ波までの時間がＴＲｏであるとすると、このＴＲｏを測定した上でこのＴＲｏをいくつかに分割して位相情報φ１、φ２、φ３、・・・をつくる
　こうして、投影データとそれを取得した時点の位相情報とがメモリ１３に記憶されていって必要な３６０°方向の投影データが収集できたとき、画像再構成装置１７でこの投影データを逆投影処理することによってＣＴ像の再構成が行なわれる。
　
カーディアックスキャンでは、心臓の各位相つまりφ１、φ２、φ３、・・・の各々でのＣＴ像を作成する
角度θ１の範囲の投影データは第１スキャンで得たもの、角度θ２の範囲の投影データは第２スキャンで得たもの、角度θ３の範囲の投影データは第３スキャンで得たもの、角度θ４の範囲の投影データは第４スキャンで得たものとすることにより、位相φ１に関する投影データが角度的に連続して得られる。これにより、位相φ１に関する３６０°方向すべての投影データが短いスキャン時間で効率よく得られ、これを用いて画像再構成すれば位相φ１での断層像が得られる。他の位相φ２、φ３等についても同じである
　このようなスキャンの終了後、メモリ１３に蓄積されたデータを読み出して不整脈検出回路１６により不整脈があったかどうかを調べる。そのために位相情報が用いられる。そして１心拍の時間がたとえば第３図の時間ＴＲ１より短いかＴＲ２より長い場合は不整脈と判断する。不整脈がなければその位相情報を基に上記のようにして各位相ごとの断層像を作成する。不整脈が少し存在した場合はその不整脈時の投影データを使用するかどうかを判断して位相情報を基に上記のようにして各位相ごとの断層像を作成する。不整脈が多数存在した場合、ＴＲ１より短いときの投影データのみを集めてその位相情報を基に各位相ごとの断層像をつくるとともに、ＴＲ２より長いときの投影データを集めてその位相情報を基に各位相ごとの断層像をつくる。すると
不整脈時の各位相の像が得られるので、不整脈時の心臓の動きが観察でき、不整脈時の心臓の運動の診断ができる
　
３　引用発明との対比
　本願補正発明と引用発明とを対比する。
　
（１）引用発明の「ＣＴ計測系３２」は，「患者３１を載せ，移動可能になっているベッド３３」により，患者３１を，「互いに対向して配置されたＸ線源とＸ線検出器と」の間を移動させながら，「ら旋スキャンでＣＴ撮影を行う」ものであるから，本願補正発明の「被検体を一つの軸に沿って直線移動させると共に前記被検体の周りに少なくともＸ線管を回転させながらデータを収集するデータ収集手段」に相当する。
　
（２）引用発明では，「呼吸モニタ３４」が「患者の呼吸の推移の時刻（呼吸時刻）」を監視し，「ＣＴ計測系３２」が「撮影時刻を付して」ＣＴ撮影を行い，「画像処理装置」によって「撮影時刻が付されて記憶されているＣＴ画像を，呼吸モニタデータで各群に分類」している。このＣＴ画像を各群に分類していることから，各群となる患者の呼吸の１周期に，複数のＣＴ画像を得ていることは明らかである。そして，このＣＴ画像が分類される各群は，呼吸モニタ３４において「呼吸量の大きさ（位相のこと）」を監視した呼吸モニタデータに基づいているから，それぞれの群である患者の呼吸の１周期を複数に分割した時点は，位相と呼ぶべきものである。また，ＣＴ画像を得ていることからして，そのＣＴ画像を得るためのデータを，患者の呼吸の位相ごとに，複数周期にわたり特定していることも明らかである。さらに，上記の患者の呼吸が，臓器の周期運動となることは，摘記事項（１）アに「呼吸量等の大きさに応じて変化する被検体部位」と記載されるように，当業者には明らかである。
してみると，引用発明は，患者の呼吸の１周期を複数に分割した位相ごとに複数のＣＴ画像を得るためのデータを得ており，そのように得られたデータに基づいて，各位相ごとにＣＴ画像を作成しているものであるから，そのような動作を行う構成は，本願補正発明の「前記被検体の心臓の周期運動の一周期を分割して設定した複数の異なる位相にそれぞれ対応する前記被検体の心臓の軸方向の複数位置での複数の断面の画像を得るためのデータを、複数周期のデータについて特定する位相対応付け手段」及び「前記被検体の心臓の軸方向の複数位置で同じ位相に対応する複数の断面の画像を生成するために必要なデータを、前記位相対応付け手段における特定に基づいて、各位相について求めるデータ算出手段」と，「前記被検体の臓器の周期運動の一周期を分割した複数の異なる位相にそれぞれ対応する前記被検体の臓器の軸方向の複数位置での複数の断面の画像を得るためのデータを、複数周期のデータについて特定する位相対応付け手段」及び「前記被検体の臓器の軸方向の複数位置で同じ位相に対応する複数の断面の画像を生成するために必要なデータを、前記位相対応付け手段における特定に基づいて、各位相について求めるデータ算出手段」である点で共通する。
　
（３）引用発明において，「画像処理装置」が，「ら旋スキャンで得たら旋データから，このスライス軸の前後のデータの補間によって，ＣＴ断層像を得」ることは，患者の体軸方向の複数の位置（スライス面）でＣＴ断層像を作成するために必要なデータを用いて，ＣＴ断層像を得ていることは明らかである。また，このＣＴ断層像を得るときには呼吸モニタデータを用いていないが，「撮影時刻が付されたＣＴ画像を呼吸モニタデータで各群に分類」していることからして，各群即ち，患者の呼吸の同じ位相について患者の体軸方向の複数の位置で複数のＣＴ画像を得ており，各群をあわせてみると，患者の呼吸の全ての位相について，このようなＣＴ画像を得ていることも明らかである。そうすると，引用発明の上記動作を行う「画像処理装置」は，本願補正発明の「前記被検体の心臓の軸方向の複数位置で同じ位相に対応する複数の断面の画像を得るのに必要なデータを用いて、前記位相における心臓の軸方向の複数位置での複数の断面の画像を当該位相毎に全ての位相について生成し、位相毎の３Ｄ画像を生成する画像生成手段」と，「前記被検体の臓器の軸方向の複数位置で同じ位相に対応する複数の断面の画像を得るのに必要なデータを用いて、前記位相における臓器の軸方向の複数位置での複数の断面の画像を当該位相毎に全ての位相について生成し、位相毎の３Ｄ画像を生成する画像生成手段」である点で共通している。
　
（４）引用発明の「各群毎の三次元画像を，呼吸の推移に応じてＣＲＴに表示する」構成は，そのような表示により，「この表示内容は、呼吸の動きに応じた身体の全身の動きを三次元的に示したものであり、病巣部が呼吸によって動く様子がわかる」（摘記事項（１）イ）のであるから，本願補正発明の「前記位相毎の３Ｄ画像を位相順に全ての位相についてシネ表示するシネ表示手段」に相当する。
　
　そうすると，本願補正発明と引用発明とは，
「被検体を一つの軸に沿って直線移動させると共に前記被検体の周りに少なくともＸ線管を回転させながらデータを収集するデータ収集手段と、
　前記被検体の臓器の周期運動の一周期を分割した複数の異なる位相にそれぞれ対応する前記被検体の臓器の軸方向の複数位置での複数の断面の画像を得るためのデータを、複数周期のデータについて特定する位相対応付け手段と、
　前記被検体の臓器の軸方向の複数位置で同じ位相に対応する複数の断面の画像を生成するために必要なデータを、前記位相対応付け手段における特定に基づいて、各位相について求めるデータ算出手段と、
　前記被検体の臓器の軸方向の複数位置で同じ位相に対応する複数の断面の画像を得るのに必要なデータを用いて、前記位相における臓器の軸方向の複数位置での複数の断面の画像を当該位相毎に全ての位相について生成し、位相毎の３Ｄ画像を生成する画像生成手段と
　前記位相毎の３Ｄ画像を位相順に全ての位相についてシネ表示するシネ表示手段と　
を具備したＸ線ＣＴ装置。」
である点で一致しており，次の点で相違する。
　
相違点：
　本願補正発明では，「心臓」を対象臓器としており，「位相」が，「心臓の周期運動の一周期を分割して設定した」ものであるのに対し，引用発明では，呼吸による臓器の移動に着目しており，「位相」とは，呼吸モニタ３４によって監視される「呼吸量の大きさ（位相のこと）」であって，それぞれの群である患者の呼吸の１周期を複数に分割した時点となるものである点。
　
４　判断
　上記相違点について判断する。
　引用例１には「呼吸以外に心電の例もありうる」（摘記事項（１）エ）と記載されるように，呼吸に代えて，心電への適用が示唆されている。ここで，心電に同期することで，心拍の位相に基づいてＸ線ＣＴ像を得ることは，一つの同一位相のみについて引用例２に，心電信号を例えば４つの位相に分けてそれぞれの位相ごとに断層像を得ることについて引用例３に，また，心電信号の１周期の時間をいくつかに分割して各位相とし，それぞれの位相の断層像を作成することについて引用例４に，それぞれ記載されるように，従来周知の技術である。また，このような従来周知の技術により，心電の位相に対応した心臓の画像を得ることも引用例２（摘記事項（２）ウ）及び引用例４（摘記事項（４）ア「心臓の動きが観察でき」）それぞれに記載されている。
　すると，引用発明を，呼吸に代えて心電，すなわち心臓の動きに対して適用しようとする際に，上記周知の技術に基づいて，心電に同期して心拍の位相に基づいて心臓のＸ線ＣＴ像を得ることは，当業者であれば容易に為し得たものである。その際に，引用例４に心電信号の１周期の時間をいくつかに分割して各位相とすることが記載されるように，心臓の周期運動の一周期を分割することで心拍の位相を設定することは，当業者において容易に為し得た範囲内のものである。
　そして，本願補正発明の作用効果は，引用発明及び周知の技術から，当業者であれば予測できる範囲のものである。
　
　請求人は，平成２０年９月２５日付け手続補正書により補正された審判請求の理由において，引用例１に開示されるのは，なだらかな曲線を描く呼吸の周期運動について，呼吸最大時，呼気最大時といった２つの位相について予め生成された予定のスライス分の画像に対応する位相を特定しており，良好な位相ごとの３Ｄ画像が得られない旨主張している。しかし，引用例１には，「以上は、呼吸の最大呼吸と最大吸気の２つの区分としたが、呼吸の細かい様子に合わせて分類することは更に好ましい」（摘記事項（１）ウ【００１９】）と記載されるように，位相をさらに細かく分類することの示唆がされ，また，上記判断にて示したとおり，引用発明を心電に適用する際，位相は心電に応じて決めうるものであることからすると，引用発明を心電に適用したものは，引用例１に開示された呼吸の周期運動にかかわらず，心臓の位相に応じた良好な三次元画像を得られるものである。また，「予定のスライス分」について，引用例１には「ら旋データを得る間隔は数ｍｍ単位であり、これが体軸方向に予定のスライス数分行われる（フロー４）。回数を制限するのではなく移動距離を制限するやり方もありうる。・・・かくして体軸方向の全スライス軸にわたってのＣＴ画像が再構成される（フロー３）。」（摘記事項（１）イ【００１３】）と記載されていることからすると，この「予定のスライス分」とは，体軸方向について断層像を得る体軸方向の距離（スライス枚数）を意味しており，本願明細書において「ステップＳ１では、操作者は、スキャン・パラメータを入力する。スキャン・パラメータとしては、・・・スキャン開始位置，スキャン終了位置・・・などがある。」（【００１８】）として予め入力されているものと相違するものではない。
　また，請求人は，当審における審尋に対する平成２１年７月２２日付け回答書において，引用例１では，スライスに対応する位相を特定しているのに対し，本願発明においては，位相に対応する断面の画像を得るためのデータを特定しているという点において異なる旨主張する。しかし，本願明細書には，「Ｐ１，Ｐ６は、大動脈の周期運動の
１周期ｈを位相Ｐ１〜Ｐ１０に１０等分
画像を生成する位置の間隔（オーバラッピング・レート）ｅを心拍の周期ｈから算出する。例えば、１周期ｈを位相Ｐ１〜Ｐ１０に１０等分するなら、ｅ＝（ｄ／τ）・（ｈ／１０）である
位置の画像をそれぞれ生成する
　してみると，請求人の主張には理由がない。
　
　以上のとおり，本願補正発明は，引用発明及び周知の技術に基づいて，当業者が容易に発明をすることができたものであるから，特許法第２９条第２項の規定により特許を受けることができない。
　
５　むすび
　したがって，本件補正は，平成１８年改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　平成２０年８月８日付けの手続補正は上記のとおり却下されたので，本願の請求項１乃至１０に係る発明は，平成２０年４月１４日付け手続補正書で補正された特許請求の範囲の請求項１乃至１０に記載された事項により特定されるとおりのものであって，その請求項１，５及び６に係る発明は，上記第２，１に記載のとおりのものである（以下，請求項１を引用する請求項５をさらに引用する請求項６に係る発明を「本願発明」という）。
　
２　引用例
　原査定の拒絶の理由に引用された引用例及びその記載事項は，上記第２，２（１）に記載したとおりである。
　
３　対比・判断
　本願発明は，上記第２で検討した本願補正発明において，「位相対応付け手段」について，「複数の異なる位相に
それぞれ
の軸方向の複数位置での複数の断面
の軸方向の複数位置で同じ位相に対応する複数の断面
、前記位相対応付け手段における特定に基づいて、各位相について
の軸方向の複数位置で同じ位相に対応する複数の断面
の軸方向の複数位置での複数の断面
全ての位相について
し、位相毎の３Ｄ画像を生成する
　そうすると，本願発明の構成要件をすべて含み，さらに他の構成要件を付加したものに相当する本願補正発明が，上記第２，４に述べたとおり，引用発明及び周知の技術に基づいて，当業者が容易に発明をすることができたものであるから，本願発明も同様の理由により，引用発明及び周知の技術に基づいて，当業者が容易に発明をすることができたものである。
　　
４　むすび
　以上のとおり，本願発明は，引用発明及び周知の技術に基づいて，当業者が容易に発明をすることができたものであるから，特許法第２９条第２項の規定により特許を受けることができない。
　
　したがって，その余の請求項に係る発明について審理するまでもなく，本件出願は拒絶されるべきものである。
　
　よって，結論のとおり審決する。